(57)【要約】【課題】圧縮ヘッダを有するＩＰパケットを含む放送信号に含まれるサービスを選局する際に出画及び出音の遅延を低減できる受信方法などを提供する。【解決手段】コンテクスト識別子（ＣＩＤ）及びＩＰフローに対応する情報を含む第一ＩＰパケットと、ＣＩＤに対応する情報を含み、かつ、ＩＰフローに対応する情報を含まない第二ＩＰパケットと、を含む放送信号を受信する受信方法であって、放送信号に含まれる複数のサービスの各々と、ＣＩＤと、ＩＰフローとの対応関係を示す対応情報を取得する取得ステップ（Ｓ１０）と、取得ステップの後に、放送信号に含まれる複数のサービスのうちいずれか一つを選局サービスとして指定する指定ステップ（Ｓ１４）と、対応情報に基いて、選局サービスに対応するＣＩＤである選局ＣＩＤを特定する特定ステップと（Ｓ２０）、選局ＣＩＤに基いて、放送信号をフィルタリングするフィルタリングステップと、を含む。【選択図】図４
2020053762.tif 000002
【特許請求の範囲】
【請求項１】
コンテクスト識別子及びＩＰ（Internet Protocol）フローに対応する情報を含む第一ＩＰパケットと、前記コンテクスト識別子に対応する情報を含み、かつ、前記ＩＰフローに対応する情報を含まない第二ＩＰパケットと、を含む放送信号を受信する受信方法であって、
放送信号に含まれる複数のサービスの各々と、前記コンテクスト識別子と、前記ＩＰフローとの対応関係を示す対応情報を取得する取得ステップと、
前記取得ステップの後に、前記複数のサービスのうちいずれか一つを選局サービスとして指定する指定ステップと、
前記指定ステップの後に、前記対応情報に基いて、前記選局サービスに対応する前記コンテクスト識別子である選局コンテクスト識別子を特定する特定ステップと、
前記特定ステップの後に、前記選局コンテクスト識別子に基いて、前記放送信号をフィルタリングするフィルタリングステップと、を含む
受信方法。
【請求項２】
前記取得ステップにおいて、前記複数のサービスの各々と前記ＩＰフローとの対応関係を示すテーブルを前記放送信号から取得する
請求項１に記載の受信方法。
【請求項３】
前記取得ステップにおいて、前記複数のサービスの少なくとも一部のサービスに対応する前記第一ＩＰパケットから前記ＩＰフローに対応する前記コンテクスト識別子の情報を取得する
請求項１に記載の受信方法。
【請求項４】
前記取得ステップは、前記対応情報を不揮発性記憶部に記憶させる記憶ステップを含む
請求項１〜３のいずれか１項に記載の受信方法。
【請求項５】
コンテクスト識別子及びＩＰ（Internet Protocol）フローに対応する情報を含む第一ＩＰパケットと、前記コンテクスト識別子に対応する情報を含み、かつ、前記ＩＰフローに対応する情報を含まない第二ＩＰパケットと、を含む放送信号を受信する受信装置であって、
放送信号に含まれる複数のサービスの各々と、前記コンテクスト識別子と、前記ＩＰフローとの対応関係を示す対応情報を取得する取得部と、
前記複数のサービスのうちいずれか一つを選局サービスとして指定する指定部と、
前記対応情報を記憶する不揮発性記憶部と、
前記対応情報に基いて、前記選局サービスに対応する前記コンテクスト識別子である選局コンテクスト識別子を特定する特定部と、
前記選局コンテクスト識別子に基いて、前記放送信号をフィルタリングするフィルタリング部と、を備える
受信装置。
【請求項６】
前記取得部は、前記複数のサービスの各々と前記ＩＰフローとの対応関係を示すテーブルを前記放送信号から取得する
請求項５に記載の受信装置。
【請求項７】
前記取得部は、前記複数のサービスの少なくとも一部のサービスに対応する前記第一ＩＰパケットから前記ＩＰフローに対応する前記コンテクスト識別子の情報を取得する
請求項５に記載の受信装置。
【請求項８】
請求項５〜７のいずれか１項に記載の受信装置と、
前記選局サービスの映像を出画する表示パネルと、
前記選局サービスの音声を出音する音声出力器と、を備える
テレビジョン受像機。
【発明の詳細な説明】
【技術分野】
【０００１】
本開示は、ＩＰ（Internet Protocol）パケットを含む放送信号を受信する受信方法及び受信装置に関する。
【背景技術】
【０００２】
衛星放送において、４Ｋ及び８Ｋの超高精細な映像技術を活用した高度広帯域衛星デジタル放送（以下、「高度ＢＳ放送」という。）の開始が予定されている。高度ＢＳ放送では、ヘッダを圧縮したＩＰパケットが用いられる（例えば、特許文献１）。高度ＢＳ放送で用いられるヘッダ圧縮方式では、フルヘッダを有するＩＰパケットと、圧縮ヘッダを有するＩＰパケットと、が用いられる。フルヘッダは、ＩＰパケットのフローを示す識別子であるコンテクスト識別子（Context IDentification；ＣＩＤ）、及び、ＩＰフローに対応する情報を含む。一方、圧縮ヘッダは、ＣＩＤに対応する情報を含むものの、ＩＰフローに対応する情報を含まない。高度ＢＳ放送では、このような圧縮ヘッダを用いることで、放送信号に含まれるデータ量を削減しようとしている。
【先行技術文献】
【特許文献】
【０００３】
【特許文献１】特開２０１０−１４７８０２号公報
【発明の概要】
【発明が解決しようとする課題】
【０００４】
高度ＢＳ放送を受信する際には、選局時に、選局されたサービスに対応するＩＰパケットを放送信号から抽出するＩＰアドレスフィルタリングを行う。この際、圧縮ヘッダには、ＩＰフローに対応する情報が含まれないため、ＩＰフローに対応する情報が含まれるフルヘッダを有するＩＰパケットを受信するまで、ＩＰアドレスフィルタリングを実行できない。なお、フルヘッダを有するＩＰパケットを受信することで、フルヘッダに含まれる情報に基いてＩＰフローとＣＩＤとの対応関係を示す情報を取得できる。このため、フルヘッダを有するＩＰパケットを受信した後は、圧縮ヘッダを有するＩＰパケットをＣＩＤを用いてフィルタリングできる。
【０００５】
このように、高度ＢＳ放送で用いるヘッダ圧縮方式では、選局時にフルヘッダを有するＩＰパケットを受信するまでフィルタリングを行えないため、選局後の出画及び出音が遅延し得る。
【０００６】
そこで、本開示は、圧縮ヘッダを有するＩＰパケットを含む放送信号を選局する際に出画及び出音の遅延を低減できる受信方法などを提供する。
【課題を解決するための手段】
【０００７】
本開示の一態様に係る受信方法は、コンテクスト識別子及びＩＰフローに対応する情報を含む第一ＩＰパケットと、前記コンテクスト識別子に対応する情報を含み、かつ、前記ＩＰフローに対応する情報を含まない第二ＩＰパケットと、を含む放送信号を受信する受信方法であって、放送信号に含まれる複数のサービスの各々と、前記コンテクスト識別子と、前記ＩＰフローとの対応関係を示す対応情報を取得する取得ステップと、前記取得ステップの後に、前記複数のサービスのうちいずれか一つを選局サービスとして指定する指定ステップと、前記指定ステップの後に、前記対応情報に基いて、前記選局サービスに対応する前記コンテクスト識別子である選局コンテクスト識別子を特定する特定ステップと、前記特定ステップの後に、前記選局コンテクスト識別子に基いて、前記放送信号をフィルタリングするフィルタリングステップと、を含む。
【０００８】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００９】
本開示によれば、圧縮ヘッダを有するＩＰパケットを含む放送信号を選局する際に出画及び出音の遅延を低減できる受信方法などを提供できる。
【図面の簡単な説明】
【００１０】
【図１】図１は、実施の形態に係る受信装置の機能構成を示すブロック図である。
【図２Ａ】図２Ａは、実施の形態に係る受信装置で受信する第一ＩＰパケットの構成例を示す図である。
【図２Ｂ】図２Ｂは、実施の形態に係る受信装置で受信する第二ＩＰパケットの構成例を示す図である。
【図３】図３は、実施の形態に係る受信装置を備えるテレビジョン受像機のハードウェア構成を示すブロック図である。
【図４】図４は、実施の形態に係る受信方法の流れを示すフローチャートである。
【図５】図５は、実施の形態に係る受信方法に含まれるステップＳ１０の流れを示すフローチャートである。
【図６】図６は、比較例及び本実施の形態に係る選局時の受信方法の流れを示すフローチャートである。
【発明を実施するための形態】
【００１１】
以下、実施の形態について、図面を参照しながら具体的に説明する。
【００１２】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１３】
また、各図は、模式図であり、必ずしも厳密に図示されたものではない。また、各図において、同じ構成部材については同じ符号を付している。
【００１４】
（実施の形態）
［受信装置の機能構成］
まず、実施の形態に係る受信装置の機能構成について図面を用いて説明する。図１は、本実施の形態に係る受信装置１０の機能構成を示すブロック図である。
【００１５】
受信装置１０は、ＩＰパケットを含む放送信号を受信する装置である。受信装置１０が受信する放送信号は、フルヘッダを有する第一ＩＰパケット及び圧縮ヘッダを有する第二ＩＰパケットを含む。ここで用いられる放送信号の一例は、高度ＢＳ放送で用いられる放送信号である。高度ＢＳ放送で用いられる放送信号においては、多重化方式としてＭＭＴ（MPEG Media Transport）とＴＬＶ（Type-Length-Value）とが採用されている。
【００１６】
ここで受信装置１０が受信する放送信号に含まれる第一ＩＰパケット及び第二ＩＰパケットの構成について図２Ａ及び図２Ｂを用いて説明する。図２Ａ及び図２Ｂは、それぞれ本実施の形態に係る受信装置１０で受信する第一ＩＰパケット及び第二ＩＰパケットの構成例を示す図である。
【００１７】
第一ＩＰパケットは、ＣＩＤ及びＩＰフローに対応する情報を含むＩＰパケットである。本実施の形態では、第一ＩＰパケットは、図２Ａに示されるように、１２ｂｉｔのＣＩＤと、４ｂｉｔのシーケンス番号と、フルヘッダと、ペイロードと、を有する。ＣＩＤは、ヘッダ圧縮を行ったＩＰパケットのフローを示す識別子である。シーケンス番号は、複数のＩＰパケットの順番を示す通し番号である。フルヘッダは、圧縮されていないヘッダであり、８ｂｉｔのＣＩＤヘッダタイプと、３０４ｂｉｔの部分ＩＰｖ６ヘッダと、３２ｂｉｔの部分ＵＤＰヘッダと、を含む。ＣＩＤヘッダタイプは、ヘッダのタイプを示すデータである。部分ＩＰｖ６ヘッダは、送信元及び宛先のＩＰアドレスの情報を含むデータである。部分ＵＤＰヘッダは、ＩＰパケットで使用されるポートの情報を含むデータである。ペイロードは、放送信号のデータ本体であり、映像信号、音声信号などに対応するデータが含まれる。
【００１８】
第二ＩＰパケットは、ＣＩＤに対応する情報を含み、かつ、ＩＰフローに対応する情報を含まないＩＰパケットである。本実施の形態では、第二ＩＰパケットは、図２Ｂに示されるように、ＣＩＤと、シーケンス番号と、圧縮ヘッダと、ペイロードと、を有する。圧縮ヘッダは、圧縮されたヘッダであり、ＣＩＤヘッダタイプのみを含む。
【００１９】
なお、第一ＩＰパケット及び第二ＩＰパケットは、それぞれ、ＴＬＶパケットにカプセル化されている。
【００２０】
高度ＢＳ放送などでは、送信されるＩＰパケットのうち、第一ＩＰパケットの送信頻度を、第二ＩＰパケットの送信頻度より大幅に少なくしている。具体的には、送信されるＩＰパケットのほとんどが第二ＩＰパケットであり、第一ＩＰパケットは、最も送信頻度が少ない場合５００ｍｓｅｃに一度程度しか送信されない。これにより、本実施の形態で使用される放送信号に含まれるデータ量を削減できる。
【００２１】
図１に示されるように、受信装置１０は、機能的には、指定部３２と、取得部３４と、不揮発性記憶部３６と、特定部３８と、フィルタリング部１８と、を備える。本実施の形態では、受信装置１０は、制御部１２と、復調部１４と、経路選択部１６と、多重信号分離部２０と、映像信号復号部２２と、音声信号復号部２４と、映像信号処理部２６と、音声信号処理部２８と、を備える。
【００２２】
指定部３２は、放送信号に含まれる複数のサービスのうちいずれか一つを選局サービスとして指定する。指定部３２は、例えば、ユーザによって選局されたサービスに対応する信号を受信し、当該サービスを選局サービスとして指定する。
【００２３】
取得部３４は、放送信号に含まれる複数のサービスの各々と、ＣＩＤと、ＩＰフローとの対応関係を示す対応情報を取得する。本実施の形態では、取得部３４は、放送信号に含まれる複数のサービスの各々とＩＰフローとの対応関係を示すテーブルであるＡＭＴ（Address Map Table）を取得する。ＡＭＴには、複数のサービスの各々に対応するサービス識別子、送信元ＩＰアドレス、宛先ＩＰアドレスなどの対応関係を示す情報が含まれる。さらに、取得部３４は、放送信号に含まれる複数のサービスの少なくとも一部のサービスに対応する第一ＩＰパケットからＩＰフローに対応するＣＩＤの情報を取得する。取得部３４は、ＡＭＴと第一パケットの情報とから、複数のサービスの各々と、ＣＩＤと、ＩＰフローとの対応関係を示す対応情報を取得する。
【００２４】
取得部３４は、例えば、受信装置１０の起動後、初期設定の一つとして放送信号からＡＭＴ及び各サービスに対応する第一ＩＰパケットを取得してもよい。例えば、取得部３４は、受信装置１０のチャンネル設定時にサービスをスキャンしながら、各サービスに対応する第一ＩＰパケットを取得してもよい。また、取得部３４は、受信装置１０がサービスの受信を実行している際に、バックグラウンドでの処理によってＡＭＴなどを取得してもよい。
【００２５】
不揮発性記憶部３６は、取得部３４が取得した対応情報を記憶する。
【００２６】
特定部３８は、取得部３４が取得した対応情報に基いて、選局サービスに対応するＣＩＤである選局ＣＩＤを特定する。
【００２７】
フィルタリング部１８は、選局ＣＩＤに基いて、放送信号をフィルタリングする。つまり、フィルタリング部１８は、放送信号に含まれるＩＰパケットの中から選局ＣＩＤを有するＩＰパケットを抽出する。本実施の形態では、ＩＰパケットは、ＴＬＶパケットにカプセル化されているため、フィルタリング部１８は、まず、ＴＬＶパケットからＩＰパケットを抽出した後、フィルタリングを行う。
【００２８】
制御部１２は、受信装置１０の全体の制御を行う。制御部１２は、受信装置１０内の各機能部に所定のシーケンスに基いて処理を実行させる。
【００２９】
復調部１４は、受信装置１０が受信した放送信号のうち、指定部３２によって指定された選局サービスに対応する周波数の放送信号を取り出し、取り出した放送信号を所定の復調方式で復調する。
【００３０】
経路選択部１６は、受信する信号が伝送される経路を選択する。例えば、受信装置１０が複数の復調部を備える場合、経路選択部１６は、複数の復調部のいずれかを選択し、選択した復調部からの信号を出力する。
【００３１】
多重信号分離部２０は、フィルタリング部１８によって、抽出されたＩＰパケットのペイロードから、映像信号、音声信号などを分離する。
【００３２】
映像信号復号部２２及び音声信号復号部２４は、それぞれ、符号化された映像信号及び音声信号を復号する。
【００３３】
映像信号処理部２６及び音声信号処理部２８は、それぞれ、復号された映像信号及び音声信号を処理することで、画質及び音質を設定に応じて調整する。ここで設定は、ユーザによって決定されてもよいし、受信装置１０が適宜決定してもよい。
【００３４】
本実施の形態に係る受信装置１０は、上述のとおり、複数のサービスの各々と、ＣＩＤと、ＩＰフローとの対応関係を示す対応情報を取得し、不揮発性記憶部３６に記憶させる。これにより、特定部３８は、対応情報を不揮発性記憶部３６から取得することができるため、ユーザなどによって、サービスを選局されたときに、送信頻度の少ない第一ＩＰパケットの受信を待つことなく、当該サービス（つまり、選局サービス）に対応するＩＰフロー及びＣＩＤ（つまり、選局ＣＩＤ）の情報を取得できる。したがって、フィルタリング部１８は、ＣＩＤによって第一ＩＰパケット及び第二ＩＰパケットをフィルタリングできるため、選局後、速やかに放送信号をフィルタリングできる。これにより、受信装置１０は、選局後、遅滞なく出画及び出音できる。
【００３５】
［受信装置のハードウェア構成］
次に、本実施の形態に係る受信装置１０及びそれを備えるテレビジョン受像機のハードウェア構成について、図３を用いて説明する。図３は、本実施の形態に係る受信装置１０を備えるテレビジョン受像機１のハードウェア構成を示すブロック図である。
【００３６】
図３に示されるように、本実施の形態に係るテレビジョン受像機１は、受信装置１０と、表示パネル７２と、音声出力器７４と、を備える。
【００３７】
表示パネル７２は、ユーザなどによって選局された選局サービスの映像を出画する。表示パネル７２は、映像を出画できる機器であれば特に限定されない。表示パネル７２として、例えば、液晶表示パネル、有機ＥＬ表示パネルなどを用いることができる。
【００３８】
音声出力器７４は、選局サービスの音声を出音する。音声出力器７４は、音声を出音できる機器であれば特に限定されない。音声出力器７４として、例えば、スピーカを用いることができる。
【００３９】
受信装置１０は、復調器４４と、信号処理システム１１と、を備える。
【００４０】
復調器４４は、図１に示される復調部１４の機能を実現する機器であり、受信した放送信号を復調する。
【００４１】
信号処理システム１１は、受信装置１０の主要な信号処理を行うシステムである。信号処理システム１１は、ＣＰＵ（Central Processing Unit）４２と、ＴＬＶ復号回路４６と、映像信号復号回路５２と、音声信号復号回路５４と、映像信号処理回路５６と、音声信号処理回路５８と、メモリコントローラ６０と、揮発性メモリ６２と、不揮発性メモリ６６と、を有する。信号処理システム１１は、一つのチップに集積されていてもよい。
【００４２】
ＣＰＵ４２は、図１に示される制御部１２の機能を実現する演算素子であり、不揮発性メモリ６６などに記憶されたプログラム又はアプリケーションを、メモリコントローラ６０を介して揮発性メモリ６２にコピーし、そのプログラム又はアプリケーションに含まれる命令を揮発性メモリ６２から順次読み出して実行する。
【００４３】
メモリコントローラ６０は、ＣＰＵ４２などからの指令に基いて、揮発性メモリ６２を制御する演算素子である。
【００４４】
揮発性メモリ６２は、ＣＰＵ４２におけるプログラム又はアプリケーションの実行に際してデータ等の一時的な記憶に利用される記憶素子である。
【００４５】
不揮発性メモリ６６は、図１に示される不揮発性記憶部３６の機能を実現する不揮発性の記憶素子である。不揮発性メモリとしては、フラッシュメモリなどを用いることができる。
【００４６】
ＴＬＶ復号回路４６は、図１に示される経路選択部１６、フィルタリング部１８及び多重信号分離部２０の機能を実現する回路である。本実施の形態では、ＴＬＶ復号回路４６は、複数の入力端子を有し、選択された一つの入力端子から入力された信号を処理する。本実施の形態では、ＴＬＶ復号回路４６は、復調器４４から入力される放送信号に含まれるＴＬＶパケットからＩＰパケットを抽出した後フィルタリングを行う。ＴＬＶ復号回路４６は、フィルタリングによって抽出された選局サービスに対応するＩＰパケットから映像信号及び音声信号を分離し、分離した映像信号及び音声信号をそれぞれ映像信号復号回路５２及び音声信号復号回路５４に出力する。
【００４７】
映像信号復号回路５２、音声信号復号回路５４、映像信号処理回路５６及び音声信号処理回路５８は、それぞれ、図１に示される映像信号復号部２２、音声信号復号部２４、映像信号処理部２６及び音声信号処理部２８の機能を実現する回路である。
【００４８】
以上のようなハードウェア構成により、受信装置１０及びテレビジョン受像機１を実現できる。
【００４９】
［受信方法］
次に、本実施の形態に係る受信装置１０で用いられる受信方法について図４を用いて説明する。図４は、本実施の形態に係る受信方法の流れを示すフローチャートである。
【００５０】
本実施の形態に係る受信方法は、ＣＩＤ及びＩＰフローに対応する情報を含む第一ＩＰパケットと、ＣＩＤに対応する情報を含み、かつ、ＩＰフローに対応する情報を含まない第二ＩＰパケットと、を含む放送信号を受信する方法である。
【００５１】
図４に示されるように、まず、受信装置１０の取得部３４は、複数のサービスの各々と、ＣＩＤと、ＩＰフローとの対応関係を示す対応情報を取得する（Ｓ１０）。ここで、対応情報を取得するステップＳ１０について、図５を用いて説明する。図５は、本実施の形態に係る受信方法に含まれるステップＳ１０の流れを示すフローチャートである。
【００５２】
図５に示されるように、ステップＳ１０において、まず、受信装置１０の取得部３４は、複数のサービスの各々とＩＰフローとの対応関係を示すＡＭＴを放送信号から取得する（Ｓ１０２）。続いて、複数のサービスの少なくとも一部のサービスに対応する第一ＩＰパケットからＩＰフローに対応するＣＩＤの情報を取得する（Ｓ１０４）。続いて、取得部３４は、取得したＡＭＴと、ＩＰフローに対応するＣＩＤの情報とから複数のサービスの各々と、ＩＰフローと、ＣＩＤとの対応関係を示す対応情報を生成する（Ｓ１０６）。以上のように、取得部３４は、対応情報を取得する。
【００５３】
続いて、図４に戻り、受信装置１０は、取得部３４が取得した対応情報を不揮発性記憶部３６に記憶させる（Ｓ１２）。
【００５４】
続いて、指定部３２は、放送信号に含まれる複数のサービスのうちいずれか一つを選局サービスとして指定する（Ｓ１４）。例えば、指定部３２は、ユーザが選局したサービスの情報を含む信号を受信し、当該サービスを選局サービスとして指定する。
【００５５】
続いて、復調部１４は、指定部３２が指定した選局サービスに対応する放送信号を復調する（Ｓ１６）。
【００５６】
続いて、経路選択部１６は、受信する信号が伝送される経路を選択する（Ｓ１８）。
【００５７】
続いて、特定部３８は、不揮発性記憶部３６に記憶された対応情報に基いて、選局サービスに対応するＣＩＤである選局ＣＩＤを特定する（Ｓ２０）。
【００５８】
続いて、フィルタリング部１８は、選局ＣＩＤに基いて、放送信号をフィルタリングする（Ｓ２２）。
【００５９】
続いて、多重信号分離部２０は、フィルタリング部１８によって抽出されたＩＰパケットのペイロードから、映像信号、音声信号などを分離する（Ｓ２４）。
【００６０】
続いて、映像信号復号部２２及び音声信号復号部２４は、それぞれ、多重信号分離部２０によって分離された映像信号及び音声信号を復号する（Ｓ２６）。
【００６１】
続いて、映像信号処理部２６及び音声信号処理部２８は、復号された映像信号及び音声信号を処理することで画質及び音質を設定に応じて調整する（Ｓ２８）。
【００６２】
以上のように受信装置１０においては、選局されたサービスの映像信号及び音声信号を得られる。
【００６３】
［効果］
次に、本実施の形態に係る受信装置１０及び受信方法の効果について、比較例と比較しながら図６を用いて説明する。図６は、比較例及び本実施の形態に係る選局時の受信方法の流れを示すフローチャートである。
【００６４】
ここでは、比較例に係る受信方法は、対応情報を取得しない点、及び、ＩＰフローによって放送信号をフィルタリングする点において、本実施の形態に係る受信方法と異なり、その他の点において一致する。以下、本実施の形態に係る受信方法を比較例に係る受信方法と比較する。
【００６５】
図６に示されるように、比較例及び本実施の形態に係る受信方法において、ユーザなどによってサービスが選局される（Ｓ２）。これに伴い、選局されたサービスが選局サービスとして指定される（図４のＳ１４など参照）。
【００６６】
続いて、図４及び図５を用いて説明したように、選局された選局サービスを含む放送信号が復調される。この際、必要に応じて、復調された信号の経路が選択される（図４のＳ１８など参照）。
【００６７】
続いて、復調された放送信号に含まれるＴＬＶパケットが受信される（Ｓ１７）。受信されたＴＬＶパケットからＩＰパケットが抽出される。
【００６８】
続いて、比較例に係る受信方法では、ＩＰフローに基いてフィルタリングを開始する（Ｓ１８２ａ）。より具体的には、選局サービスに対応するＩＰフローをＡＭＴに基いて取得し、第一ＩＰパケットのうちＩＰフローが選局サービスに対応するＩＰフローに合致するものを抽出する。これにより、ＩＰフローが選局サービスに対応するＩＰフローに合致する第一ＩＰパケットを受信する（Ｓ１８３ａ）。この第一ＩＰパケットのペイロードに含まれるＭＭＴＰ（MMT Protocol）パケットを抽出し、ＭＭＴＰパケットに含まれるＰＬＴ（Package List Table）及びＭＰＴ（MMT Package Table）を受信する（Ｓ１８４及びＳ１８６）。ＰＬＴは、選局サービスのエントリーポイントとなる制御情報である。ＭＰＴには、選局サービスを構成する映像、音声などのアセットの組合せと取得先とが記述されている。ＰＬＴ及びＭＰＴを受信し、例えば、ＰＬＴに含まれる識別子を用いることで、選局サービスのＭＭＰＴパケットをフィルタリングできる。これにより、選局サービスに対応する映像信号、音声信号などを抽出できる。
【００６９】
一方、本実施の形態に係る受信方法では、ＣＩＤに基いてフィルタリングを開始する（Ｓ１８２ｂ）。より具体的には、選局サービスに対応するＣＩＤ（つまり、選局ＣＩＤ）を予め取得した対応情報から特定し、第一ＩＰパケット及び第二ＩＰパケットのうちＣＩＤが選局ＣＩＤに合致するものを抽出する。これにより、ＣＩＤが選局ＣＩＤに合致する第一ＩＰパケット及び第二ＩＰパケットを受信する。ここで、受信した第一ＩＰパケット又は第二ＩＰパケットのペイロードに含まれるＭＭＴＰパケットを抽出し、ＭＭＴＰパケットに含まれるＰＬＴ及びＭＰＴを受信する（Ｓ１８４及びＳ１８６）。これにより、比較例と同様に、選局サービスのＭＭＰＴパケットをフィルタリングすることで、選局サービスに対応する映像信号、音声信号などを抽出できる。
【００７０】
続いて、以下、図４を用いて上述したとおり、比較例及び本実施の形態ともに、ＭＭＰＴパケットから映像信号及び音声信号が分離され（Ｓ２４）、分離された映像信号及び音声信号が復号され（Ｓ２６）、復号された映像信号及び音声信号が処理される（Ｓ２８）。
【００７１】
続いて、ステップＳ２８で処理された映像信号及び音声信号に基いて出画及び出音される（Ｓ３０）。
【００７２】
以上のように、比較例に係る受信方法では、ＩＰフローによるフィルタリング開始後、選局サービスに対応する第一ＩＰパケットを受信する必要がある。ここで、上述のとおり、第一ＩＰパケットの送信頻度は第二ＩＰパケットの送信頻度より大幅に少ないため、選局サービスに対応する第一ＩＰパケットを受信するまでに最大５００ｍｓｅｃ程度の遅延時間が発生し得る。つまり、選局後、出画及び出音までに遅延時間が発生し得る。このため、例えば選局を行ったユーザが不快感を感じるおそれがある。
【００７３】
一方、本実施の形態に係る受信方法では、ＣＩＤによるフィルタリングを行うため、フィルタリング開始後、速やかに選局サービスに対応する第一ＩＰパケット又は第二ＩＰパケットを受信することができる。したがって、本実施の形態に係る受信方法及びそれを用いる受信装置１０によれば、選局における上記遅延時間を低減し得る。これにより、選局におけるユーザの不快感を低減できる。
【００７４】
また、本実施の形態では、予め複数のサービスの各々と、ＩＰフローと、ＣＩＤとの対応関係を示す対応情報を取得する必要があるが、このような情報は、受信装置１０の起動時、又は、チャンネル設定時などに取得することができるため、ユーザが不便に感じることはない。また、対応情報を不揮発性記憶部３６に記憶させることで、受信装置１０の電源をオフした後にも、対応情報を利用できる。
【００７５】
（他の実施の形態）
以上、本開示の受信方法などについて、実施の形態に基づいて説明したが、本開示は、上記各実施の形態に限定されるものではない。本開示の趣旨を逸脱しない限り、当業者が思いつく各種変形を上記実施の形態に施したものも、本開示の範囲内に含まれてもよい。
【００７６】
例えば、上記実施の形態で用いられる放送信号として、高度ＢＳ放送で用いられる信号を例示したが、本実施の形態に係る受信方法及び受信装置１０で使用可能な放送信号は、これに限定されない。本実施の形態に係る受信方法及び受信装置１０は、ＣＩＤ及びＩＰフローに対応する情報を含むフルヘッダを有する第一ＩＰパケットと、ＣＩＤに対応する情報を含み、かつ、ＩＰフローに対応する情報を含まない圧縮ヘッダを有する第二ＩＰパケットと、を含む放送信号であれば、任意の放送信号に適用できる。
【００７７】
また、上記実施の形態では、受信方法及び受信装置１０がテレビジョン受像機１に適用される例を示したが、受信方法及び受信装置１０は、単体で用いられてもよいし、例えば、録画機、セットトップボックスなどの他の装置に備えられてもよい。
【産業上の利用可能性】
【００７８】
本開示に係る受信方法などは、例えば高度ＢＳ放送を受信するテレビジョン受像機などに適用可能である。
【符号の説明】
【００７９】
１  テレビジョン受像機
１０  受信装置
１１  信号処理システム
１２  制御部
１４  復調部
１６  経路選択部
１８  フィルタリング部
２０  多重信号分離部
２２  映像信号復号部
２４  音声信号復号部
２６  映像信号処理部
２８  音声信号処理部
３２  指定部
３４  取得部
３６  不揮発性記憶部
３８  特定部
４２  ＣＰＵ
４４  復調器
４６  ＴＬＶ復号回路
５２  映像信号復号回路
５４  音声信号復号回路
５６  映像信号処理回路
５８  音声信号処理回路
６０  メモリコントローラ
６２  揮発性メモリ
６６  不揮発性メモリ
７２  表示パネル
７４  音声出力器
【図１】
2020053762.tif 000003
【図２Ａ】
2020053762.tif 000004
【図２Ｂ】
2020053762.tif 000005
【図３】
2020053762.tif 000006
【図４】
2020053762.tif 000007
【図５】
2020053762.tif 000008
【図６】
2020053762.tif 000009